(57)【特許請求の範囲】
【請求項１】
複数のＬＥＤ照明灯の間に配置され、各ＬＥＤ照明灯間の配線接続を行うための端子ユニットを収容可能な接続ユニットであって、
ＬＥＤ照明灯の取付面に取り付けられるベースと、
前記ベースを覆う着脱自在なベースカバーと、
当該接続ユニットとＬＥＤ照明灯の間の配線を前記取付面との間で覆う配線カバーと、
を備えた接続ユニット。
【請求項２】
請求項１において、
前記端子ユニットが、前記ＬＥＤ照明灯に電源電流を供給するための電源線を含む配線が接続される端子を有している、
ことを特徴とする接続ユニット。
【請求項３】
請求項１において、
前記端子ユニットが、前記ベースに取り付けられるようになっている、
ことを特徴とする接続ユニット。
【請求項４】
請求項１において、
当該接続ユニットには、さらに電源ユニットが収容可能になっている、
ことを特徴とする接続ユニット。
【請求項５】
請求項４において、
前記電源ユニットが、前記端子ユニットと一体にまたは前記端子ユニットに着脱自在に設けられている、
ことを特徴とする接続ユニット。
【請求項６】
請求項１において、
当該接続ユニットが、表示灯、カメラまたは生体検知センサを有している、
ことを特徴とする接続ユニット。
【請求項７】
請求項１において、
前記配線カバーが長さ調節可能に設けられている、
ことを特徴とする接続ユニット。
【発明の詳細な説明】
【技術分野】
【０００１】
本発明は、離隔配置された複数のＬＥＤ照明灯の間の配線作業を容易にできるようにした接続ユニットに関する。
【背景技術】
【０００２】
照明装置として、例えば発光ダイオード（ＬＥＤ）を用いた照明装置が種々提案されている。一般に、発光ダイオードは、蛍光灯に比べて、消費電力が低く、長寿命であるため、照明装置として最近注目されている。
【発明の概要】
【発明が解決しようとする課題】
【０００３】
例えば特開２００９−９９３６３号公報の図６および図１２には、複数のＬＥＤ照明ユニットを近接配置したものが提案されている。この場合には、各ＬＥＤ照明ユニットの一端にオスコネクタが、他端にメスコネクタがそれぞれ設けられており、隣り合う各ＬＥＤ照明ユニット間で一方のオスコネクタを他方のメスコネクタにそれぞれ連結することにより、各ＬＥＤ照明ユニットが長さ方向またはこれと直交する幅方向に複数個連結されるようになっている。このように、各照明ユニットを近接配置したレイアウトでは、各照明ユニット間の配線作業の問題は生じない。
【０００４】
ところが、本願の図１９に示すように、複数のＬＥＤ照明ユニット１００を離隔配置したレイアウトの場合、外部電源および各ＬＥＤ照明ユニット１００の間、ならびに各ＬＥＤ照明ユニット１００間を接続する配線１０１が必要になって、配線作業が煩雑になる。とくに、各ＬＥＤ照明ユニットを天井に離隔配置するレイアウトの場合には、互いに離れた各ＬＥＤ照明ユニット間を天井の下側で配線接続しようとすると、配線が室内に剥き出しになり見栄えが悪くなるため、天井の上側（裏側）で配線接続を行うことが考えられるが、この場合、配線が天井の上側と下側の間で行き来する構成となって、配線作業がさらに煩雑となる。また、各ＬＥＤ照明ユニットを放射状や格子状等に配設する場合には、各ＬＥＤ照明ユニットが交差する個所には多数の配線が集中して交錯することになるため、配線作業が一層煩雑になる。
【０００５】
本発明は、このような従来の実情に鑑みてなされたものであり、本発明が解決しようとする課題は、離隔配置された複数のＬＥＤ照明灯の間の配線作業を容易に行える接続ユニットを提供することにある。また、本発明は、このような接続ユニットにおいて、各ＬＥＤ照明灯に個別に電源ユニットを設ける必要をなくして、各ＬＥＤ照明灯間の配線作業をさらに容易に行えるようにしている。
【課題を解決するための手段】
【０００６】
上記課題を解決するため、本発明は、複数のＬＥＤ照明灯の間に配置されて各ＬＥＤ照明灯間の配線接続を行うための端子ユニットを収容可能な接続ユニットを提供しており、この接続ユニットは、ＬＥＤ照明灯の取付面に取り付けられるベースと、ベースを覆う着脱自在なベースカバーと、当該接続ユニットとＬＥＤ照明灯の間の配線を取付面との間で覆う配線カバーとを備えている（請求項１参照）。
【０００７】
本発明によれば、複数のＬＥＤ照明灯間の配線接続が接続ユニットを介して行われることにより、各配線が乱雑に交錯することなく、各ＬＥＤ照明灯間の配線作業が容易に行えるようになる。また、このとき、当該接続ユニットに端子ユニットを収容した場合には、さらに配線作業が簡略化できるとともに、当該端子ユニットを介して配線を分岐できるようになるので、複数のＬＥＤ照明灯を例えば格子状や放射状、ハニカム状に配列するなど、様々な配列に容易に対応できるようになる。
【０００８】
また、本発明においては、端子ユニットが、ＬＥＤ照明灯に電源電流を供給するための電源線を含む配線が接続される端子を有している（請求項２参照）。
【０００９】
本発明においては、端子ユニットがベースに取り付けられるようになっている（請求項３参照）。
【００１０】
本発明においては、当該接続ユニットにさらに電源ユニットが収容可能になっている（請求項４参照）。この場合には、例えば、複数のＬＥＤ照明灯が直流駆動のＬＥＤ照明灯を含んでいるときに、各ＬＥＤ照明灯にそれぞれ電源ユニットを設ける必要がなくなるので、ＬＥＤ照明灯全体の構成を簡略化できるとともに、各ＬＥＤ照明灯間の配線作業をさらに容易に行えるようになる。
【００１１】
本発明においては、電源ユニットが、端子ユニットと一体にまたは端子ユニットに着脱自在に設けられている（請求項５参照）。
【００１２】
本発明においては、接続ユニットが表示灯、カメラまたは生体検知センサを有している（請求項６参照）。
【００１３】
本発明においては、配線カバーが長さ調節可能に設けられている（請求項７参照）。この場合には、露出する配線の長さに応じて配線カバーの長さを適宜調節することにより、配線カバーの切断作業が不要になって、配線作業を簡略化できる。
【発明の効果】
【００１４】
以上のように、本発明によれば、複数のＬＥＤ照明灯間の配線接続が接続ユニットを介して行われることにより、各配線が乱雑に交錯することなく、各ＬＥＤ照明灯間の配線作業が容易に行えるようになる。また、このとき、当該接続ユニットに端子ユニットを収容した場合には、さらに配線作業が簡略化できるとともに、当該端子ユニットを介して配線を分岐できるようになるので、複数のＬＥＤ照明灯を例えば格子状や放射状、ハニカム状に配列するなど、様々な配列に容易に対応できるようになる効果がある。
【図面の簡単な説明】
【００１５】
【図１】本発明の一実施例による接続ユニットを介して多数のＬＥＤ照明灯が格子状（碁盤目状）に連結された状態を示す図である。
【図２】接続ユニット（図１）の全体斜視図である。
【図３】接続ユニット（図２）の分解組立図である。
【図４】ＬＥＤ照明灯（図１）の分解組立図である。
【図５】各ＬＥＤ照明灯がＡＣ駆動型である場合の配線作業を説明するための図である。
【図６】各ＬＥＤ照明灯がＡＣ駆動型である場合の配線作業を説明するための図である。
【図７】各ＬＥＤ照明灯がＡＣ駆動型である場合の配線作業を説明するための図である。
【図８】各ＬＥＤ照明灯がＡＣ駆動型である場合の配線作業を説明するための図である。
【図９】各ＬＥＤ照明灯がＤＣ駆動型である場合の配線作業を説明するための図である。
【図１０】各ＬＥＤ照明灯がＤＣ駆動型である場合の配線作業を説明するための図である。
【図１１】各ＬＥＤ照明灯がＤＣ駆動型である場合の配線作業を説明するための図である。
【図１２】各ＬＥＤ照明灯がＤＣ駆動型である場合の配線作業を説明するための図である。
【図１３】各ＬＥＤ照明灯がＤＣ駆動型である場合の配線作業を説明するための図である。
【図１４】格子状配列のＬＥＤ照明灯における配線の仕方の一例を示す図である。
【図１４Ａ】図１４の格子状配列の各格子の座標位置を説明するための図である。
【図１５】接続ユニットの第１の変形例の全体斜視図である。
【図１６】接続ユニットの第２の変形例の全体斜視図である。
【図１７】接続ユニット（図１６）を介して格子状に連結された多数のＬＥＤ照明灯を倉庫の天井面に適用した状態を示す図である。
【図１７Ａ】図１７中のＡ部分の拡大図である。
【図１７Ｂ】図１７中のＢ部分の拡大図である。
【図１８】接続ユニット（図１５、図１６）を介して格子状に連結された多数のＬＥＤ照明灯を緊急時の誘導灯として用いた状態を説明するための図である。
【図１９】離隔配置された従来のＬＥＤ照明灯の配線作業を説明するための図である。
【発明を実施するための形態】
【００１６】
以下、本発明の実施例を添付図面に基づいて説明する。
図１には、本発明の一実施例による接続ユニットが天井用照明に適用された状態が示されている。同図に示すように、多数のＬＥＤ照明灯１０が、天井面Ｃｐの縦方向および横方向に格子状（碁盤目状）に配設されている。各ＬＥＤ照明灯１０は、接続ユニット１により互いに連結されている。
【００１７】
図２および図３は、接続ユニット１を示している。ここでは、図１の格子状配列の中で各ＬＥＤ照明灯１０が縦横に十字状に交差する部分の接続ユニット１を示している。接続ユニット１は、当該接続ユニット１を天井面Ｃｐに取り付けるための取付部材である例えば金属製（樹脂製その他の材料製でも可）のベース２と、ベース２に取り付けられる電源ユニット３および端子ユニット４と、ベース２に着脱自在に装着されるカバー５とを備えている。接続ユニット１には、さらに、ＬＥＤ照明灯１０との間の配線を覆う配線カバー６が設けられている。
【００１８】
ベース２には、図３の一点鎖線に示すように、開孔２ａが貫通形成されていてもよい。この開孔２ａは、例えば、外部電源からの電源線を引き込むためのものである。電源ユニット３は、外部電源（例えばＡＣ２００Ｖ）から供給されたＡＣ電流をＤＣ電流に変換してＬＥＤ照明灯１０にＤＣ電流を供給するためのものであって、定電圧回路または定電流回路を有している。また、電源ユニット３は、外部電源からの電源線が接続されるＡＣ端子台（図示せず）を内蔵しており、当該端子台を一体に有している。ここでは、電源ユニット３が２つ設けられた例を示している。
【００１９】
端子ユニット４は、電源ユニット３からのＤＣ電流をＬＥＤ照明灯１０に供給するためのものであって、複数の端子を有している。端子ユニット４は、電源ユニット３と別個に、あるいは、電源ユニット３またはベース２に着脱自在に設けられている。電源ユニット３および端子ユニット４は、ベース２およびカバー５で囲繞される内部空間に収容されている。
【００２０】
端子ユニット４は、単一または複数のユニットから構成されている。各ユニットには、所定数の端子が取り付けられており、端子の数や大きさの異なる複数種類のユニットが用意されている。ユニットの種類および（または）個数を適宜選択することにより、所望の端子数を有する端子ユニットを構成できるようになっており、これにより、ＬＥＤ照明灯１０のレイアウトに応じた柔軟な対応が可能になっている。
【００２１】
また、端子ユニット４をベース２に着脱自在に取り付ける構成としては、ベース２にＤＩＮレールを取り付け、当該ＤＩＮレールに端子ユニット４を取り付けたり、または、端子ユニット４の取付部として、ベース２に嵌合部や把持部４Ａ（図３参照）等を好ましくはベース２と一体的に設け、当該取付部に端子ユニット４を取り付けたり、あるいは、端子ユニット４をベース２にネジ止めしたりすることが考えられる。
【００２２】
カバー５には、複数（ここでは４個）の切欠き５ａが形成されており、各切欠き５ａは、円周上に９０度間隔で均等に配置されている。切欠き５ａには、配線カバー６がスライド自在に支持される。各配線カバー６は、格子状に配列された各ＬＥＤ照明灯１０の配設方向に配設される。ここでは、接続ユニット１として、各ＬＥＤ照明灯１０が縦横に十字状に交差する部分の接続ユニットを示しているため、接続ユニット１に４つの配線カバー６が取り付けられた状態が示されている。図１の格子状配列において、角部の接続ユニット１については、直交する２つの配線カバー６が取り付けられ、同図の格子状配列において、角部を除く外周部分の接続ユニット１については、３つの配線カバー６が取り付けられている。
【００２３】
ＬＥＤ照明灯１０は、図４に示すように、複数のＬＥＤ素子１１Ａを有する照明灯本体１１と、照明灯本体１１を天井面Ｃｐに取り付けるためのベースフレーム１２と、照明灯本体１１の発光面を覆う着脱自在な透光性カバー１３とを備えている。
【００２４】
照明灯本体１１は、ベースフレーム１２にネジ止め固定されている。各ＬＥＤ素子１１Ａは、照明灯本体１１の長手方向に沿って所定間隔を隔てて配列されている。照明灯本体１１の天井面側の取付面には、長手方向に延びる係合溝１１ａが形成されており、溝１１ａには、対応する配線カバー６の端部が挿入されて係合するようになっている。ベースフレーム１２の長手方向端部には、電源線を含む配線を通すための開孔１２ａが貫通形成されている。
【００２５】
図３では、一例として、接続ユニット１のベース２に電源ユニット３および端子ユニット４の双方が設けられた場合を示したが、ベース２にいずれのユニットが設けられるかは、接続されるＬＥＤ照明灯１０がＡＣ（交流）駆動型またはＤＣ（直流）駆動型のいずれであるかによって異なる。以下、ＬＥＤ照明灯１０の配線作業について、図５ないし図１３を用いて説明する。図５ないし図８は、ＬＥＤ照明灯１０がＡＣ駆動型の場合を、図９ないし図１３は、ＬＥＤ照明灯１０がＤＣ駆動型の場合をそれぞれ示している。
【００２６】
＜ＡＣ駆動型の場合＞
図５に示すように、まず、ＬＥＤ照明灯１０のベースフレーム１２を取付面である天井面Ｃｐに取り付ける。また、ＡＣ入力用の端子台（端子ユニット）４０を接続ユニット１のベース２に設置するとともに、ベース２を天井面Ｃｐに取り付ける。
【００２７】
この状態から、図６に示すように、外部電源からのＡＣ電源線（電灯線）５０を図示左側のベースフレーム１２を通って端子台４０の一端子に接続するとともに、端子台４０の他の二つの端子からＡＣ入力を２分岐し、それぞれ渡り配線５１、５２として図示右側、下側の各ベースフレーム１２に沿って配設する。なお、図示上側のベースフレーム１２については、他のルートからの渡り配線（図示せず）が配設されている。
【００２８】
次に、図７に示すように、ＬＥＤ照明灯１０の照明灯本体１１をベースフレーム１２に取り付ける。このとき、ＡＣ電源線５０を図示左側のＬＥＤ照明灯１０の照明灯本体１１にコネクタ（図示せず）等を介して接続するとともに、渡り配線５１、５２をそれぞれ図示右側、下側の各ＬＥＤ照明灯１０の照明灯本体１１にコネクタ（図示せず）等を介して接続する。また、各照明灯本体１１に透光性カバー１３を装着するとともに、ベース２にカバー５を装着する。
【００２９】
次に、図８に示すように、カバー５および各ＬＥＤ照明灯１０の間に配線カバー６を配置する。このとき、各配線カバー６の一端は、カバー５の切欠き５ａ（図７）に、また他端はＬＥＤ照明灯１０の照明灯本体１１の係合溝１１ａ（図４）にそれぞれ係合している。
このようにして、ＬＥＤ照明灯１０の配線作業が完了する。
【００３０】
＜ＤＣ駆動型の場合＞
図９に示すように、まず、ＬＥＤ照明灯１０のベースフレーム１２を取付面である天井面Ｃｐに取り付ける。また、ＡＣ入力用の端子台（端子ユニット）４０と、ＡＣ電流をＤＣ電流に変換するための電源ユニット３０と、ＤＣ出力用（つまりＬＥＤ電源供給用）の端子台（端子ユニット）４１とを接続ユニット１のベース２に設置するとともに、ベース２を天井面Ｃｐに取り付ける。なお、各端子台４０、４１は、電源ユニット３０と別個に設けられており、または電源ユニット３０に対して着脱自在に設けられている。
【００３１】
この状態から、図１０に示すように、外部電源からのＡＣ電源線（電灯線）５０を図示左側のベースフレーム１２を通って端子台４０の一端子に接続するとともに、端子台４０の他の二つの端子からＡＣ入力を２分岐し、それぞれ渡り配線５１、５２として図示右側、下側の各ベースフレーム１２に沿って配設する。また、図１１に示すように、端子台４１からの４本のＤＣ電源線５５、５６、５７、５８をそれぞれ図示左側、右側、下側、上側の各ベースフレーム１２に沿って配設する。
【００３２】
次に、図１２に示すように、ＬＥＤ照明灯１０の照明灯本体１１をベースフレーム１２に取り付ける。このとき、ＤＣ電源線５５、５６、５７、５８をそれぞれ図示左側、右側、下側、上側の各照明灯本体１１にコネクタ（図示せず）等を介して接続する。また、各照明灯本体１１に透光性カバー１３を装着するとともに、ベース２にカバー５を装着する。
【００３３】
次に、図１３に示すように、カバー５および各ＬＥＤ照明灯１０の間に配線カバー６を配置する。このとき、各配線カバー６の一端は、カバー５の切欠き５ａ（図７）に、また他端はＬＥＤ照明灯１０の照明灯本体１１の係合溝１１ａ（図４）にそれぞれ係合している。
このようにして、ＬＥＤ照明灯１０の配線作業が完了する。
【００３４】
上記ＡＣ駆動型およびＤＣ駆動型のいずれの場合においても、ＡＣ電源線５０はアース線を含んでいてもよい。また、ＬＥＤ照明灯１０が調光制御可能であるものについては、ベース２上に調光用の端子台を設け、当該端子台からの調光信号線をＬＥＤ照明灯１０に接続するようにしてもよい。
【００３５】
端子ユニット４０、４１は、上述したように、それぞれを構成するユニットの種類および（または）個数を適宜選択することにより、所望の端子数を有する端子ユニットに変更できるようになっているので、調光用の端子台の設置も容易である。また、調光用の端子台に限らず、ユーザー側の使用環境や使用状況に応じて、必要な端子数をユーザー側で容易に選択できるようになっている。
【００３６】
また、配線カバー６の取付けについては、接続ユニット１のカバー５の切欠き５ａ内に予め配線カバー６をスライド自在に収容しておき、カバー５をベース２に取り付けた後、カバー５の切欠き５ａから配線カバー６を引き出して、その先端を照明灯本体１１の係合溝１１ａに係合させるようにすればよい。あるいは、ＬＥＤ照明灯１０の照明灯本体１１の係合溝１１ａ内に予め配線カバー６をスライド自在に収容しておき、接続ユニット１のカバー５をベース２に取り付けた後、照明灯本体１１の係合溝１１ａから配線カバー６を引き出して、その先端を接続ユニット１のカバー５の切欠き５ａに係合させるようにすればよい。
【００３７】
次に、図１４は、格子状配列のＬＥＤ照明灯の配線の仕方の一例を示している。
ここでは、ＬＥＤ照明灯１０を縦横４列ずつ配設する場合を例にとっている。同図において、実線の矢印はＡＣ電源配線ルートを示し、破線の矢印はＤＣ電源配線ルートを示している。また、一点鎖線で囲まれた接続ユニット１ａは、電源ユニットおよび端子ユニットの双方を内蔵しており、接続ユニット１ｂは、電源ユニットを内蔵しておらず、端子ユニットのみを内蔵している。さらに、接続ユニット１ｂ’は、電源ユニットも端子ユニットも内蔵しておらず、ベース２およびカバー５で囲繞される内部空間に何も収容していない空のユニットである。接続ユニット１ｂ’は、他の接続ユニット１ａ、１ｂと外観上は何ら異なるところはなく、そのベース２およびカバー５で囲繞される内部空間の大きさも接続ユニット１ａ、１ｂと同様であって、電源ユニットおよび端子ユニットを収容し得るスペースを有している。
【００３８】
図１４に示す配線例の配線について、図１４Ａを参照しつつ説明する。図１４Ａは、図１４の格子状配列の各格子点の座標位置を説明するための図であって、図示左上の格子点を原点（０，０）として、図示矢印方向にそれぞれｘ座標およびｙ座標をとって、各格子点の座標位置を表している。
【００３９】
図１４および図１４Ａに示すように、図示左上の原点（０，０）の接続ユニット１ｂに外部電源からのＡＣ入力が入力されており、当該ＡＣ入力は、ｘ軸（ｙ＝０）上の３本のＬＥＤ照明灯１０ならびに座標（１，０）および（２，０）の各接続ユニット１ａ、１ｂの内部を通って、図示右上の座標（３，０）の接続ユニット１ａに入力されている。
【００４０】
また、上記ＡＣ入力は、ｙ軸（ｘ＝０）上の３本のＬＥＤ照明灯１０ならびに座標（０，１）および（０、２）の各接続ユニット１ａ、１ｂの内部を通って、図示左下の座標（０，３）の接続ユニット１ａに入力されている。さらに、上記ＡＣ入力は、座標（０，１）の接続ユニット１ａから横方向の２本のＬＥＤ照明灯１０および座標（１，１）の接続ユニット１ｂの内部を通って、座標（２，１）の接続ユニット１ａに入力されるとともに、座標（０，２）の接続ユニット１ｂから横方向の３本のＬＥＤ照明灯１０ならびに座標（１，２）および（２，２）の各接続ユニット１ａ、１ｂの内部を通って、座標（３，２）の接続ユニット１ａに入力されており、また、座標（０，３）の接続ユニット１ａから横方向の２本のＬＥＤ照明灯１０および座標（１，３）の接続ユニット１ｂの内部を通って、座標（２，３）の接続ユニット１ａに入力されている。
【００４１】
その一方、ＤＣ出力は、図１４および図１４Ａに示すように、座標（１，０）の接続ユニット１ａから、座標（１，０）および原点（０，０）間のＬＥＤ照明灯１０、座標（１，０）および座標（２，０）間のＬＥＤ照明灯１０、ならびに座標（１，０）および座標（１，１）間のＬＥＤ照明灯１０に入力されるとともに、座標（３，０）の接続ユニット１ａから、座標（３，０）および座標（２，０）間のＬＥＤ照明灯１０、ならびに座標（３，０）および座標（３，１）間のＬＥＤ照明灯１０に入力されている。
【００４２】
また、ＤＣ出力は、座標（０，１）の接続ユニット１ａから、座標（０，１）および原点（０，０）間のＬＥＤ照明灯１０、座標（０，１）および座標（１，１）間のＬＥＤ照明灯１０、ならびに座標（０，１）および座標（０，２）間のＬＥＤ照明灯１０に入力されるとともに、座標（２，１）の接続ユニット１ａから、座標（２，１）および座標（２，０）間のＬＥＤ照明灯１０、座標（２，１）および座標（１，１）間のＬＥＤ照明灯１０、座標（２，１）および座標（３，１）間のＬＥＤ照明灯１０、ならびに座標（２，１）および座標（２，２）間のＬＥＤ照明灯１０に入力されている。
【００４３】
さらに、ＤＣ出力は、座標（１，２）の接続ユニット１ａから、座標（１，２）および座標（１，１）間のＬＥＤ照明灯１０、座標（１，２）および座標（０，２）間のＬＥＤ照明灯１０、座標（１，２）および座標（２，２）間のＬＥＤ照明灯１０、座標（１，２）および座標（２，２）間のＬＥＤ照明灯１０、ならびに座標（１，２）および座標（１，３）間のＬＥＤ照明灯１０に入力されるとともに、座標（３，２）の接続ユニット１ａから、座標（３，２）および座標（３，１）間のＬＥＤ照明灯１０、座標（３，２）および座標（２，２）間のＬＥＤ照明灯１０、ならびに座標（３，２）および座標（３，３）間のＬＥＤ照明灯１０に入力されている。
【００４４】
また、ＤＣ出力は、座標（０，３）の接続ユニット１ａから、座標（０，３）および座標（０，２）間のＬＥＤ照明灯１０、および座標（０，３）および座標（１，３）間のＬＥＤ照明灯１０に入力されるとともに、座標（２，３）の接続ユニット１ａから、座標（２，３）および座標（２，２）間のＬＥＤ照明灯１０、座標（２，３）および座標（１，３）間のＬＥＤ照明灯１０、ならびに座標（２，３）および座標（３，３）間のＬＥＤ照明灯１０に入力されている。
【００４５】
このように、接続ユニット１ａ、１ｂ、１ｂ’を介して複数のＬＥＤ照明灯１０間の配線接続を行うことにより、各配線が乱雑に交錯することなく、各ＬＥＤ照明灯１０間の配線作業が容易に行えるようになって、作業効率を向上できる。また、この場合には、接続ユニット１ａ、１ｂに内蔵された端子ユニットを介して配線を分岐できるので、複数のＬＥＤ照明灯を格子状や放射状、ハニカム状等の様々な配列に配設できるようになる。
【００４６】
さらに、この場合には、配線接続に必要な端子が接続ユニット１ａ、１ｂに集中的に配置されることになるので、配線の取回しが容易になる。その一方、ユーザー側でも、必要に応じて端子数の変更を容易に行えるので、ＬＥＤ照明灯の使用環境や使用状況に応じた柔軟な対応が可能になる。
【００４７】
前記実施例においては、接続ユニット１のカバー５が単にベース２を覆う部材として用いられた例を示したが、本発明の適用はこれに限定されない。図１５、図１６は、それぞれ接続ユニット１の第１、第２の変形例を示している。これらの図において、前記実施例と同一符号は同一または相当部分を示している。
【００４８】
図１５に示す第１の変形例では、カバー５に表示灯７が設けられている点が前記実施例と異なっている。表示灯７は、例えばＲＧＢ対応のＬＥＤから構成されている。また、この表示灯の駆動電源としては、接続ユニット１内部の電源ユニットが利用されており、これにより、表示灯専用の電源を別途用意する必要がなくなる。
【００４９】
図１６に示す第２の変形例では、カバー５に４つの表示灯７Ａ、７Ｂ、７Ｃ、７Ｄが設けられている点が前記実施例と異なっている。表示灯７Ａ、７Ｂ、７Ｃ、７Ｄは、例えばＲＧＢ対応のＬＥＤから構成されている。また、これらの表示灯の駆動電源としても、接続ユニット１内部の電源ユニットが利用されており、これにより、表示灯専用の電源を別途用意する必要がなくなる。
【００５０】
なお、第１、第２の変形例において、表示灯は、ベース２の側に設けるようにしてもよい。この場合、接続ユニット１内部の電源ユニットを利用することで、全体の構成を簡略化できる。また、表示灯の形態としては、例えば、ベース２の外周の一部または全周を光らせるようにすればよい。なお、表示灯のかわりに、監視カメラ等のカメラや、人体感知センサ等の生体検知センサ等を設けるようにしてもよい。これらの場合においても、接続ユニット１内部の電源ユニットを駆動電源として利用することにより、カメラや生体検知センサ等のアプリケーションを有する接続ユニットを簡単な構成で実現できる。表示灯、カメラまたは生体検知センサは、接続ユニットが備える前記電源ユニットから電力を供給されている。また、この場合には、カメラや生体検知センサ等のアプリケーションおよびその他のアプリケーションに電力を供給するための配線を接続ユニット内部で完結できるので、配線作業全体を効率的に行えるようになる。
【００５１】
図１７は、図１６に示された４つの表示灯７Ａ、７Ｂ、７Ｃ、７Ｄを有する接続ユニット１を介して、多数のＬＥＤ照明灯１０が格子状に接続された状態を示している。同図中、実線の斜線で示された領域Ｙ１は、当該領域Ｙ１を取り囲む各接続ユニット１の４つの表示灯のうち、領域Ｙ１に接近した側に配置された表示灯が赤色に点灯している領域である。また、破線の斜線で示された領域Ｙ２は、当該領域Ｙ２を取り囲む各接続ユニット１の４つの表示灯のうち、領域Ｙ２に接近した側に配置された表示灯が青色に点灯している領域である。
【００５２】
すなわち、例えば、図１７中の一点鎖線Ａで囲む接続ユニット１においては、図１７Ａに示すように、４つの表示灯７Ａ、７Ｂ、７Ｃ、７Ｄのすべてが赤色に点灯しており、また、図１７中の一点鎖線Ｂで囲む接続ユニット１においては、図１７Ｂに示すように、表示灯７Ａ、７Ｂが赤色に点灯し、表示灯７Ｄが青色に点灯しており、表示灯７Ｃは消灯している。
【００５３】
このように、各接続ユニット１における各表示灯の点灯の仕方を変えることにより、図１７中の領域Ｙ１は赤色の商品収納ヤードとして、領域Ｙ２は青色の商品収納ヤードとして、それぞれ区別して用いることができるようになる。この場合、商品収納ヤードの変更の際には、表示灯の表示色を変えるだけでよいので、商品収納ヤードの変更も容易である。
【００５４】
図１８は、図１５または図１６に示された表示灯付き接続ユニット１を介して、多数のＬＥＤ照明灯１０を天井面に格子状に配設した状態を示している。この場合には、例えば緊急時において、所定の接続ユニット１の各表示灯を点滅させ、または順次点灯させることにより、建物内の人を避難通路に誘導する誘導灯として用いることができる（図１８矢印参照）。あるいは、各表示灯を非常灯として用いることも可能である。
【００５５】
非常灯として用いる場合には、接続ユニット１内部の電源ユニットが、電源の供給停止を検出するとともに、電源の供給停止時に非常用バッテリとして機能して、非常灯に電源を供給するように構成されている。この場合には、非常用バッテリを別途設ける必要がないので、非常灯を有する接続ユニットを簡単な構成で実現できる。
【００５６】
〔他の実施例１〕
前記実施例では、電源ユニットが接続ユニット１のベース２に取り付けられた例を示したが、ベース２には端子ユニットのみを取り付け、電源ユニットはＬＥＤ照明灯１０のベースフレーム１２に取り付けるようにしてもよい。
【００５７】
〔他の実施例２〕
前記実施例では、端子ユニットおよび電源ユニットの双方が接続ユニット１のベース３に取り付けられた例を示したが、本発明は、端子ユニットまたは電源ユニットのいずれか一方または双方が、接続ユニット１のカバー５に取り付けられる場合にも同様に適用可能である。
【００５８】
〔他の実施例３〕
前記実施例では、配線カバー６が接続ユニット１のカバー５に取り付けられた例を示したが、配線カバー６は、接続ユニット１のベース２に取り付けるようにしてもよい。
【００５９】
〔他の実施例４〕
前記実施例では、配線カバー６が接続ユニット１のカバー５にスライド自在に設けられることにより、配線カバー６の伸長時の長さが調節可能になっている例を示したが、本発明の適用はこれには限定されない。配線カバー６は、伸縮自在な蛇腹形状を有していてもよく、あるいは、大きさが段階的に異なる複数の配線カバーを互いに入れ子式（つまりロッドアンテナや望遠鏡のようなテレスコピック式）にしてスライド自在に設けることにより、全体の長さを調節できるようにしてもよい。
【００６０】
〔他の実施例５〕
前記実施例では、本発明による接続ユニット１が適用されるＬＥＤ照明灯１０の配列が格子状配列の場合を例にとって説明したが、本発明の適用は、格子状以外に、放射状やハニカム状等、任意の配列のものに適用可能である。例えばハニカム状配列の場合には、接続ユニット１のカバー５に均等間隔で３個の切欠きを形成するようにすればよい。
【００６１】
〔他の実施例６〕
前記実施例では、天井面に設けられたＬＥＤ照明灯に接続ユニットが適用された例を示したが、本発明による接続ユニットは、壁面に設けられたＬＥＤ照明灯に適用することも可能である。
【産業上の利用可能性】
【００６２】
本発明は、複数のＬＥＤ照明灯を接続する接続ユニットに好適である。
【符号の説明】
【００６３】
１、１ａ、１ｂ、１ｂ’：  接続ユニット
２：  ベース
３、３０：  電源ユニット
４、４０、４１：  端子ユニット
５：  カバー
６：  配線カバー
７、７Ａ、７Ｂ、７Ｃ、７Ｄ：  表示灯
１０：  ＬＥＤ照明灯
１１Ａ：  ＬＥＤ素子
【先行技術文献】
【特許文献】
【００６４】
【特許文献１】特開２００９−９９３６３号公報（図６、図１２参照）
【図１】
0005713819.tif 000002
【図２】
0005713819.tif 000003
【図３】
0005713819.tif 000004
【図４】
0005713819.tif 000005
【図５】
0005713819.tif 000006
【図６】
0005713819.tif 000007
【図７】
0005713819.tif 000008
【図８】
0005713819.tif 000009
【図９】
0005713819.tif 000010
【図１０】
0005713819.tif 000011
【図１１】
0005713819.tif 000012
【図１２】
0005713819.tif 000013
【図１３】
0005713819.tif 000014
【図１４】
0005713819.tif 000015
【図１４Ａ】
0005713819.tif 000016
【図１５】
0005713819.tif 000017
【図１６】
0005713819.tif 000018
【図１７】
0005713819.tif 000019
【図１７Ａ】
0005713819.tif 000020
【図１７Ｂ】
0005713819.tif 000021
【図１８】
0005713819.tif 000022
【図１９】
0005713819.tif 000023